(57)【要約】【課題】印字機能と折り機能を有する画像形成装置において、ユーザーが意識して指定しなくても、印刷用紙が折られた状態で見える位置にページ番号を印字する。【解決手段】ユーザーは、原稿データを入力し、折り種類を設定して印刷開始を指示する。画像形成装置は、印刷用紙サイズと折り種類に基づき、印刷用紙が折られたときに一番外側に位置する領域を判別する。判別された領域の中で、ユーザーの指示に基づいて、ページ番号などを印字する位置を調整する。原稿データを印刷用紙に印刷する際に、一番外側にくる位置にページ番号などを印字し、設定された折り種類に従って印刷用紙を折る。ユーザーがページ番号などの印字位置を詳しく指定しなくても、折られた状態で見える位置に印字される。【選択図】図１０
2008003113.tif 000002
【特許請求の範囲】
【請求項１】
操作入力用の操作部と、原稿画像を入力する画像入力部と、入力された原稿画像を印刷用の画像にする画像処理部と、印刷用の画像を印刷用紙に印刷する画像印刷部と、前記操作部から入力された印刷用紙の折り種類を設定するための折り種類設定手段と、設定された折り種類に従って折られた場合の印刷用紙の一番外側に位置する領域へ特定の文字を印字するように制御する印字制御手段と、設定された折り種類に従って印刷後の印刷用紙を折る折り手段とを具備することを特徴とする画像形成装置。
【請求項２】
前記印字制御手段は、折られた印刷用紙の一番外側に位置する領域が印刷用紙のどの部分であるかを印刷用紙サイズと設定された折り種類とに基づいて判別するための印字位置領域判別手段を備えることを特徴とする請求項１に記載の画像形成装置。
【請求項３】
前記印字制御手段は、前記印字位置領域判別手段によって判別された領域の中で印字位置をユーザーの指示に基づいて調整するための印字位置調整手段を備えることを特徴とする請求項１に記載の画像形成装置。
【請求項４】
入力された折り種類を記憶し、入力された原稿画像を印刷用の画像に処理し、設定された折り種類に従って折られた場合の印刷用紙の一番外側に位置する領域へ特定の文字を印字するように、印刷用の画像を印刷用紙に印刷し、設定された折り種類に従って印刷後の印刷用紙を折ることを特徴とする印字制御方法。
【請求項５】
折られた印刷用紙の一番外側に位置する領域が、印刷用紙のどの部分かを、印刷用紙サイズと設定された折り種類とに基づいて判別することを特徴とする請求項４に記載の印字制御方法。
【請求項６】
判別された領域の中で印字位置を、ユーザーの指示に基づいて調整することを特徴とする請求項４に記載の印字制御方法。
【発明の詳細な説明】
【技術分野】
【０００１】
本発明は、画像形成装置に関し、特に、印字機能と折り機能を有する画像形成装置に関する。
【背景技術】
【０００２】
近年、ファクシミリやプリンタやコピーやスキャナなどの各装置の機能を１つの筐体内に収納した融合機と呼ばれる画像形成装置が利用されるようになった。この融合機は、１つの筐体内に表示部と印刷部と画像走査部などを設けると共に、ファクシミリとプリンタとコピーとスキャナにそれぞれ対応する４種類のアプリケーションを設け、それらのアプリケーションを切り替えることにより、ファクシミリやプリンタやコピーやスキャナとして動作させるものである。
【０００３】
このような融合機がもつ機能の１つに折り機能がある。この折り機能とは、画像を印刷した紙を縦／横方向に複数回折り曲げる機能である。大きな印刷紙を、同じサイズに折りたたむことで、保管やファイリング等の取り扱いが容易になる。例えば、A1サイズやA2サイズの異なる大きさの印刷用紙を、A4サイズに統一して折り揃えることができる。以下に、これに関連する従来技術の例をいくつかあげる。
【０００４】
特許文献１に開示された「画像形成装置」は、ユーザーが希望する仕上がりとなるように、原稿画像を適当なサイズの記録用紙に印刷して折り畳む装置である。原稿サイズが、操作パネルにより設定される仕上がりサイズ以下のときは、記録用紙サイズを仕上がりサイズとする。原稿サイズが仕上がりサイズより大きいときは、記録用紙サイズを仕上がりサイズの倍として、記録用紙に原稿画像が収まる複写倍率で複写を行う。記録用紙サイズが仕上がりサイズよりも大きいときは、紙折り装置により、記録用紙を仕上がりサイズに折り畳む。
【０００５】
特許文献２に開示された「画像形成装置」は、用紙を折る機能や、ステープルやパンチ穴開けの機能を、ユーザーが組み合わせて設定することができる使い勝手のよい複写機である。ユーザーからの入力に応じて、コーナーステープル、２点ステープル、またはパンチ穴開けの機能を、装置に設定する。次に、複写後の用紙を折り曲げる機能が設定されているかを判定する。それぞれの折り方に相応しい位置に、コーナーステープル、２点ステープル、パンチ穴開けを行う位置が設定される。
【０００６】
特許文献３に開示された「画像出力処理装置」は、入力された画像情報のサイズを除く特徴に基づいて、基準とすべき画像を確定し、この確定された画像情報の出力サイズに統一して出力することにより、極力、画像毎の有する画像の特徴を損なうことなく記録材に記録再現し、結果として統一された見易い画像を出力し得る画像出力処理装置である。スキャナ部にて読み取られた画像又は外部装置から送られてファクシミリボードにて受信した画像を出力するためのレーザプリンタ部を備える。スキャナ部にて読み取られた画像又はファクシミリボードにて受信された画像から、画像サイズを除く特徴を、多値画像処理部で抽出する。抽出された画像の画像サイズを除く特徴に応じて、出力される画像の出力サイズを分割及び紙折りして統一する。
【０００７】
特許文献４に開示された「紙折り制御装置」は、任意の用紙サイズに対して種々の条件を考慮した紙折りが自動的に行える画像形成システムである。複写機は、原稿長さに応じてロール紙を切断し、原稿幅に応じて、対応する幅のロール給紙段を選択し、ロール紙に画像を印刷する。複写機からのロール紙を折り込む紙折り装置を、シリアルケーブルで接続する。複写機からのロール紙を、紙折り装置で折り込む。複写機には、画像用紙サイズ、紙折り方式、綴じ代、折り幅、スタンプ有無、スタンプ位置のような紙折りの制御条件を記憶登録する。紙折り装置は、複写機で設定した用紙の紙折りモード条件の信号により、その紙折りモードにて作動して用紙を折る。
【特許文献１】特許第3414108号公報
【特許文献２】特開平10-245151号公報
【特許文献３】特開平11-239266号公報
【特許文献４】特開2003-292238号公報
【発明の開示】
【発明が解決しようとする課題】
【０００８】
しかし、従来の紙折り印字方法では、次のような問題がある。ページ印字や日付印字やスタンプ印字は、印刷用紙が折られた状態でも読み取れる位置に印字する必要がある。しかし、A1やA2などの大きな印刷用紙をA4サイズなどの小さなサイズに折り畳むと、印刷用紙の大部分は内側へ折り込まれる。そのため、ページ番号などを印字して折り畳む場合には、ユーザー自身が予め折られた後のことを考えて印字位置を調整しないと、ページ印字などが印刷用紙の内側へ折り込まれてしまい、見えなくなってしまうことがある。
【０００９】
本発明の目的は、上記従来の問題を解決して、画像形成装置において、ユーザーに意識させることなく、印刷用紙が折られた状態でも読み取れる位置に容易にページ印字などができるようにすることである。
【課題を解決するための手段】
【００１０】
上記の課題を解決するために、本発明では、操作入力用の操作部と、原稿画像を入力する画像入力部と、入力された原稿画像を印刷用の画像にする画像処理部と、印刷用の画像を印刷用紙に印刷する画像印刷部と、操作部から入力された印刷用紙の折り種類を設定するための折り種類設定手段と、設定された折り種類に従って折られた場合の印刷用紙の一番外側に位置する領域へ特定の文字を印字するように制御する印字制御手段と、設定された折り種類に従って印刷後の印刷用紙を折る折り手段とを具備する構成とした。
【００１１】
また、印字制御手段は、折られた印刷用紙の一番外側に位置する領域が印刷用紙のどの部分であるかを印刷用紙サイズと設定された折り種類とに基づいて判別するための印字位置領域判別手段と、印字位置領域判別手段によって判別された領域の中で印字位置をユーザーの指示に基づいて調整するための印字位置調整手段とを備える。
【発明の効果】
【００１２】
上記のように構成したことにより、ユーザーに意識させることなく、印刷用紙が折られた状態でも確認できる位置に容易に印字でき、使い勝手がよくなる。
【発明を実施するための最良の形態】
【００１３】
以下、本発明を実施するための最良の形態について、図１〜図13を参照しながら詳細に説明する。
【実施例】
【００１４】
本発明の実施例は、折り種類を設定し、折られた場合に印刷用紙の一番外側に位置する領域へページ番号などの特定文字を印字するように制御して、原稿画像を印刷用紙に印刷し、折り種類設定に従って印刷済の印刷用紙を折る画像形成装置である。
【００１５】
図１は、本発明の実施例における画像形成装置（融合機）のソフトウェア構成を示す概念図である。図１において、融合機１は、ファクシミリやプリンタやコピーやスキャナなどの機能を１つの筐体内に収納した画像形成装置である。ソフトウェア群２は、OS上のアプリケーション層とプラットホーム層などである。融合機起動部３は、アプリケーション層とプラットホーム層を起動する手段である。ハードウェア資源４は、スキャナやプロッタなどである。アプリケーション層５は、プリンタやコピーやファックスやスキャナなどの処理を行うプログラム群である。プラットホーム層６は、アプリケーション層からの要求を処理するプログラム群である。コントロールサービス層７は、アプリケーション層からの処理要求を解釈してハードウェア資源の獲得要求を発生するプログラム群である。ハンドラ層８は、ハードウェア資源の管理を行うプログラム群である。プリンタアプリ９は、プリンタ用のアプリケーションである。コピーアプリ10は、コピー用アプリケーションである。ファックスアプリ11は、ファックス用アプリケーションである。スキャナアプリ12は、スキャナ用アプリケーションである。
【００１６】
ネットワークコントロールサービス（NCS）13は、ネットワークI/Oを必要とするアプリケーションに対して共通に利用できるサービスを提供するものである。デリバリーコントロールサービス（DCS）14は、蓄積文書の配信などの制御を行う手段である。オペレーションパネルコントロールサービス（OCS）15は、オペレータと本体制御との間の情報伝達手段となるオペレーションパネルの制御を行う手段である。ファックスコントロールサービス（FCS）16は、ファックスデータの処理を仲介する手段である。エンジンコントロールサービス（ECS）17は、エンジン部の制御を行う手段である。メモリコントロールサービス（MCS）18は、メモリの取得と解放などのメモリ制御を行う手段である。ユーザインフォメーションコントロールサービス（UCS）19は、ユーザー情報の管理を行う手段である。
【００１７】
システムコントロールサービス（SCS）20は、アプリケーション管理、操作部制御、システム画面表示、LED表示、ハードウェア資源管理、割り込みアプリケーション制御などの処理を行う手段である。システムリソースマネージャ（SRM）21は、ハードウェア資源の管理を行ってコントロールサービス層からの獲得要求を調停する手段である。ファックスコントロールユニットハンドラ（FCUH）22は、ファックス処理についてハードウェア資源に対する処理要求を行う手段である。イメージメモリハンドラ（IMH）23は、プロセスに対するメモリの割り振り及びプロセスに割り振ったメモリの管理を行う手段である。その他のハードウェアリソース24は、折り機能部やステープラーやパンチやADF（Auto Document Feeder）などである。スキャナ25は、画像読取手段である。プロッタ26は、画像印刷手段である。エンジンI/F27は、ソフトウェアとハードウェア資源を仲介する手段である。
【００１８】
図２は、融合機のハードウェア構成を示す機能ブロック図である。図２において、コントローラボード30は、融合機を制御する回路を搭載した基板である。CPU31は、融合機１の全体制御を行うものである。システムメモリ（MEM-P）32は、融合機１の描画用メモリなどとして用いるメモリである。ノースブリッジ（NB）33は、CPU31とシステムメモリ32とSB34とASIC36を接続するブリッジ回路である。サウスブリッジ（SB）34は、NB33とPCIバスと周辺デバイスとを接続するブリッジ回路である。AGP（Accelerated Graphics Port）35は、ASIC36とNB33を接続する手段である。ASIC36は、画像処理用のICである。ローカルメモリ（MEM-C）37は、コピー用画像バッファや符号バッファとして用いるメモリである。HDD38は、画像やプログラムやフォントデータやフォームなどを蓄積するストレージである。
【００１９】
オペレーションパネル39は、ユーザーからの入力操作を受け付けると共に、ユーザーに向けた表示を行う操作部である。FCU40は、ファックス回路を制御する手段である。USBデバイス41は、USB対応機器を接続するインタフェースである。IEEE1394デバイス42は、IEEE1394対応機器を接続するインタフェースである。エンジン43は、印刷を行うハードウェアである。NIC（Network Interface Card）50は、ネットワークを介して通信するためのインタフェースである。セントロニクスデバイス51は、セントロニクス対応機器を接続するインタフェースである。G3規格対応ユニット52は、G3規格ファクス装置を接続するインタフェースである。G4規格対応ユニット53は、G4規格ファクス装置を接続するインタフェースである。
【００２０】
図３は、A2横サイズの基本折りの折り手順を示す図である。図４は、A2横サイズのクロス折りの折り手順を示す図である。図５は、A2縦サイズのクロス折りの折り手順を示す図である。図６は、ページ印字を右下に設定して、A2横サイズ印刷用紙で基本折りをした場合の仕上がりイメージを示した図である。図７は、ページ印字を左下に設定して、A2横サイズ印刷用紙で基本折りをした場合の仕上がりイメージを示した図である。図８は、折った後、印字が見える領域と見えなくなる領域を示す図である。図９は、基本動作の処理手順を示す流れ図である。図10は、A2横サイズ印刷用紙の基本折り、A2横サイズ印刷用紙のクロス折り、A2縦サイズ印刷用紙クロス折りそれぞれの折りにおける、印字位置領域を示した図である。図11は、印刷用紙サイズ、折り種類、印字位置領域の関係をまとめた表である。図12は、印字位置領域判別処理動作の処理手順を示す流れ図である。図13は、指定印字位置の領域内への補正方法を示す図である。
【００２１】
上記のように構成された本発明の実施例における画像形成装置の機能と動作を説明する。最初に、図１を参照しながら、画像形成装置の機能の概要を説明する。融合機１は、ソフトウェア群２と、融合機起動部３と、ハードウェア資源４とを含むように構成される。融合機起動部３は融合機１の電源投入時に最初に実行され、アプリケーション層５およびプラットホーム層６を起動する。例えば、融合機起動部３は、アプリケーション層５およびプラットホーム層６のプログラムを、ハードディスク装置（HDD）などから読み出し、読み出した各プログラムをメモリ領域に転送して起動する。ハードウェア資源４は、スキャナ25と、プロッタ26と、その他のハードウェアリソース24とを含む。その他のハードウェアリソース24は、折り機能部や、ステープルするステープラーや、パンチや、ADF（Auto Document Feeder）などを含む。
【００２２】
また、ソフトウェア群２は、UNIX（登録商標）などのオペレーティングシステム（OS）上に起動されているアプリケーション層５とプラットホーム層６とを含む。アプリケーション層５は、プリンタ、コピー、ファックスおよびスキャナなどの画像形成にかかるユーザサービスにそれぞれ固有の処理を行うプログラムを含む。アプリケーション層５は、プリンタ用のアプリケーションであるプリンタアプリ９と、コピー用アプリケーションであるコピーアプリ10と、ファックス用アプリケーションであるファックスアプリ11と、スキャナ用アプリケーションであるスキャナアプリ12とを含む。
【００２３】
また、プラットホーム層６は、アプリケーション層５からの処理要求を解釈してハードウェア資源４の獲得要求を発生するコントロールサービス層７と、１つ以上のハードウェア資源４の管理を行ってコントロールサービス層７からの獲得要求を調停するシステムリソースマネージャ（SRM）21と、SRM21からの獲得要求に応じてハードウェア資源４の管理を行うハンドラ層８とを含む。コントロールサービス層７は、ネットワークコントロールサービス（NCS）13、デリバリーコントロールサービス（DCS）14、オペレーションパネルコントロールサービス（OCS）15、ファックスコントロールサービス（FCS）16、エンジンコントロールサービス（ECS）17、メモリコントロールサービス（MCS）18、ユーザインフォメーションコントロールサービス（UCS）19、システムコントロールサービス（SCS）20などのサービスモジュールで構成されている。
【００２４】
なお、プラットホーム層６は予め定義されている関数により、アプリケーション層５からの処理要求を受信可能とするAPI28を有するように構成されている。OSは、アプリケーション層５およびプラットホーム層６の各ソフトウェアをプロセスとして並列実行する。NCS13のプロセスは、ネットワークI/Oを必要とするアプリケーションに対して共通に利用できるサービスを提供するものである。ネットワーク側から各プロトコルによって受信したデータを各アプリケーションに振り分け、各アプリケーションからのデータをネットワーク側に送信する際の仲介を行う。例えば、NCS13は、ネットワークを介して接続されるネットワーク機器とのデータ通信をhttpd（HyperText Transfer Protocol Daemon）により、HTTP（HyperText Transfer Protocol）で制御する。
【００２５】
DCS14のプロセスは、蓄積文書の配信などの制御を行う。OCS15のプロセスは、オペレータと本体制御との間の情報伝達手段となるオペレーションパネルの制御を行う。FCS16のプロセスは、アプリケーション層５からPSTNまたはISDN網を利用したファックス送受信、バックアップ用のメモリで管理されている各種ファックスデータの登録／引用、ファックス読み取り、ファックス受信印刷などを行うためのAPIを提供する。回転手段とサイズ判断手段と走査幅比較手段を有するＺ折り手段に対応するECS17のプロセスは、スキャナ25、プロッタ26、その他のハードウェアリソース24などのエンジン部の制御を行う。
【００２６】
MCS18のプロセスは、メモリの取得および解放、HDDの利用などのメモリ制御を行う。UCS19は、ユーザー情報の管理を行うものである。SCS20のプロセスは、アプリケーション管理、操作部制御、システム画面表示、LED表示、ハードウェア資源管理、割り込みアプリケーション制御などの処理を行う。SRM21のプロセスは、SCS20と共にシステムの制御およびハードウェア資源４の管理を行うものである。例えばSRM21のプロセスは、スキャナ25やプロッタ26などのハードウェア資源４を利用する上位層からの獲得要求に従って調停を行い、実行制御する。具体的に、SRM21のプロセスは獲得要求されたハードウェア資源４が利用可能であるか（他の獲得要求により利用されていないかどうか）を判定し、利用可能であれば獲得要求されたハードウェア資源４が利用可能である旨を上位層に通知する。また、SRM21のプロセスは、上位層からの獲得要求に対して、ハードウェア資源４を利用するためのスケジューリングを行い、要求内容（例えば、プリンタエンジンによる紙搬送と作像動作、メモリ確保、ファイル生成など）を直接処理している。
【００２７】
また、ハンドラ層８はファックスコントロールユニット（FCU）の管理を行うファックスコントロールユニットハンドラ（FCUH）22と、プロセスに対するメモリの割り振り及びプロセスに割り振ったメモリの管理を行うイメージメモリハンドラ（IMH）23とを含む。SRM21およびFCUH22は、予め定義されている関数によりハードウェア資源４に対する処理要求を送信可能とするエンジンI/F27を利用して、ハードウェア資源４に対する処理要求を行う。融合機１は、各アプリケーションで共通的に必要な処理をプラットホーム層６で一元的に処理することができる。
【００２８】
次に、図２を参照しながら、融合機１のハードウェア構成について説明する。融合機１は、コントローラボード30と、オペレーションパネル39と、FCU40と、エンジン43とを含む。また、FCU40は、G3規格対応ユニット52と、G4規格対応ユニット53とを有する。また、コントローラボード30は、CPU31と、ASIC36と、HDD38と、システムメモリ（MEM-P）32と、ローカルメモリ（MEM-C）37と、ノースブリッジ（以下、NBと記す）33と、サウスブリッジ（以下、SBと記す）34と、NIC50（Network Interface Card）と、USBデバイス41と、IEEE1394デバイス42と、セントロニクスデバイス51とを含む。オペレーションパネル39は、コントローラボード30のASIC36に接続されている。また、SB34と、NIC50と、USBデバイス41と、IEEE1394デバイス42と、セントロニクスデバイス51とは、NB33にPCIバスで接続されている。
【００２９】
また、FCU40と、エンジン43は、コントローラボード30のASIC36にPCIバスで接続されている。なお、コントローラボード30は、ASIC36にローカルメモリ37、HDD38などが接続されると共に、CPU31とASIC36とがCPUチップセットのNB33を介して接続されている。このように、NB33を介してCPU31とASIC36とを接続すれば、CPU31のインタフェースが公開されていない場合に対応できる。また、ASIC36とNB33とはPCIバスを介して接続されているのでなく、AGP（Accelerated Graphics Port）35を介して接続されている。このように、図２のアプリケーション層５やプラットホーム層６を形成するプロセスを実行制御するため、ASIC36とNB33とを低速のPCIバスでなくAGP35を介して接続し、パフォーマンスの低下を防いでいる。
【００３０】
CPU31は、融合機１の全体制御を行うものである。CPU31は、NCS13、DCS14、OCS15、FCS16、ECS17、MCS18、UCS19、SCS20、SRM21、FCUH22、IMH23をOS上にそれぞれプロセスとして起動して実行させると共に、アプリケーション層５を形成するプリンタアプリ９、コピーアプリ10、ファックスアプリ11、スキャナアプリ12を起動して実行させる。NB33は、CPU31、システムメモリ32、SB34およびASIC36を接続するためのブリッジである。システムメモリ32は、融合機１の描画用メモリなどとして用いるメモリである。SB34は、NB33とPCIバス、周辺デバイスとを接続するためのブリッジである。また、ローカルメモリ37はコピー用画像バッファ、符号バッファとして用いるメモリである。ASIC36は、画像処理用のハードウェア要素を有する画像処理用途向けのICである。HDD38は、画像の蓄積、プログラムの蓄積、フォントデータの蓄積、フォームの蓄積などを行うためのストレージである。また、向き設定手段と折り方向設定手段に対応するオペレーションパネル39は、ユーザーからの入力操作を受け付けると共に、ユーザーに向けた表示を行う操作部である。
【００３１】
次に、画像形成装置の動作の概要を説明する。ユーザーは、操作部（オペレーションパネル39）から操作指示などを入力する。操作部から入力された印刷用紙の折り種類を、折り種類設定手段に設定する。折り種類設定手段は、CPU31の制御のもとで、ローカルメモリ37などに設けられる。原稿画像を、画像入力部（スキャナ25）から入力する。入力された原稿画像を、画像処理部（ASIC36など）で印刷用の画像にする。設定された折り種類に従って折られた場合の印刷用紙の一番外側に位置する領域へ、ページ番号などの特定の文字を印字するように、印字制御手段で制御する。印字制御手段は、プリンタアプリ９の機能の一部である。印字制御手段の印字位置領域判別手段は、折られた印刷用紙の一番外側に位置する領域が印刷用紙のどの部分であるかを、印刷用紙サイズと設定された折り種類とに基づいて判別する。印字制御手段の印字位置調整手段は、印字位置領域判別手段によって判別された領域の中で、印字位置をユーザーの指示に基づいて調整する。印刷用の画像を、画像印刷部（プロッタ26）で印刷用紙に印刷する。設定された折り種類に従って、印刷後の印刷用紙を、折り手段で折る。折り手段は、その他のハードウェアリソース24のうちの折り機能部である。
【００３２】
次に、図３と図４と図５を参照しながら、折り機能について説明する。折り種類には、一般的に知られているものとして、基本折りやファイル折り、クロス折りなどがある。これらは何れもA0からA3サイズの印刷用紙を縦／横方向の折りを組み合わせて、A4サイズになるように折る折り方である。例として、図３〜図５に、A2横サイズの基本折り、A2横サイズのクロス折り、A2縦サイズのクロス折りの折り手順を示す。ここで示した３つの折りで折った結果は全て、A4サイズ（210mm×297mm）となる。
【００３３】
次に、図６と図７と図８を参照しながら、ページ番号などの特定文字の印字について説明する。まず、折りと印字をまとめて行なう場合の、印字位置と折りの関係を説明する。図６と図７は、それぞれページ印字（P1）右下、左下に設定して、A2横サイズ印刷用紙で基本折りをした場合の仕上がりイメージを示したものである。図６に示すように、右下に印字を設定した場合は、印字が一番外側になる面に位置するので、折った後も印字が見える。一方、図７に示すように、左下に印字を設定した場合は、印字が内側に折り込まれた面に位置してしまい、折った後は印字が見えなくなってしまう。そこで、折った後にも印字が見える領域（印字位置領域）と見えなくなる領域を、図８に示す。
【００３４】
次に、図９を参照しながら、基本動作手順を説明する。初めに、ステップ１とステップ２で、印字設定と折り機能の両方が設定されていることを確認する。印字設定されているが、折り機能が設定されていなければ、ステップ３で、通常の印字処理を行う。印字設定と折り機能の両方が設定されていれば、ステップ４で、印字位置領域判別処理を実行する。印字位置領域判別後は、ステップ５で、指定印字位置を領域内へ補正する。
【００３５】
次に、図10と図11と図12を参照しながら、印字位置領域を判別する手順について説明する。例えば、図10は、A2横サイズ印刷用紙の基本折り、A2横サイズ印刷用紙のクロス折り、A2縦サイズ印刷用紙クロス折りそれぞれの折りにおける、印字位置領域を示した図である。印字位置領域はそれぞれ、A2横サイズ印刷用紙基本折りの場合は（右下：297mm×210mm）、A2横サイズ印刷用紙のクロス折りの場合は（右下：210mm×297mm）、A2縦サイズ印刷用紙クロス折りの場合は（左下：297mm×210mm）となる。これら、印刷用紙サイズ、折り種類、印字位置領域の関係を図11に表としてまとめる。印字位置領域判別処理は、図11の表のように印刷用紙サイズ、折り種類、印字位置領域の関係を予め作成しておくことで実現できる。この関係を用いた印字位置領域判別処理動作フローを、図12に示す。初めに、ステップ11で、折りの種類を判別する。その後、ステップ12と13で、折り種類毎に紙サイズを判別する。ステップ14〜17で、印刷用紙に対する印字位置領域（位置とサイズ）を求める。
【００３６】
次に、図13を参照しながら、印字位置領域判別後、指定印字位置の領域内への補正方法を説明する。A2横サイズ印刷用紙の基本折りの例である。ページ番号などの印字位置を、ユーザーが左上と指示した場合、印字位置領域内で左上にページ番号を印字するように制御する。
【００３７】
上記のように、本発明の実施例では、画像形成装置を、折り種類を設定し、折られた場合に印刷用紙の一番外側に位置する領域へページ番号などの特定文字を印字するように制御して、原稿画像を印刷用紙に印刷し、折り種類設定に従って印刷済の印刷用紙を折る構成としたので、ユーザーに意識させることなく、印刷用紙が折られた状態でも確認できる位置に、ページ番号などを容易に印字でき、使い勝手がよくなる。
【産業上の利用可能性】
【００３８】
本発明の画像形成装置は、印字機能と折り機能を有する画像形成装置として最適である。
【図面の簡単な説明】
【００３９】
【図１】本発明の実施例における画像形成装置である融合機の構成図である。
【図２】本発明の実施例における画像形成装置である融合機のハードウェア構成図である。
【図３】本発明の実施例における画像形成装置でのA2横サイズの基本折りの折り手順を示す図である。
【図４】本発明の実施例における画像形成装置でのA2横サイズのクロス折りの折り手順を示す図である。
【図５】本発明の実施例における画像形成装置でのA2縦サイズのクロス折りの折り手順を示す図である。
【図６】本発明の実施例における画像形成装置でのA2横サイズの基本折りで右下にページ印字する例を示す図である。
【図７】本発明の実施例における画像形成装置でのA2横サイズの基本折りで左下にページ印字する例を示す図である。
【図８】本発明の実施例における画像形成装置でのA2横サイズの基本折りで折った後、印字が見える領域と見えなくなる領域を示す図である。
【図９】本発明の実施例における画像形成装置での基本動作の処理手順を示す流れ図である。
【図１０】本発明の実施例における画像形成装置でのA2横サイズ印刷用紙の基本折り、A2横サイズ印刷用紙のクロス折り、A2縦サイズ印刷用紙クロス折りそれぞれの折りにおける、印字位置領域を示した図である。
【図１１】本発明の実施例における画像形成装置での印刷用紙サイズ、折り種類、印字位置領域の関係をまとめた表である。
【図１２】本発明の実施例における画像形成装置での印字位置領域判別処理の動作手順を示す流れ図である。
【図１３】本発明の実施例における画像形成装置での指定印字位置の領域内への補正方法を示す図である。
【符号の説明】
【００４０】
１・・・融合機、２・・・ソフトウェア群、３・・・融合機起動部、４・・・ハードウェア資源、５・・・アプリケーション層、６・・・プラットホーム層、７・・・コントロールサービス層、８・・・ハンドラ層、９・・・プリンタアプリ、10・・・コピーアプリ、11・・・ファックスアプリ、12・・・スキャナアプリ、13・・・ネットワークコントロールサービス（NCS）、14・・・デリバリーコントロールサービス（DCS）、15・・・オペレーションパネルコントロールサービス（OCS）、16・・・ファックスコントロールサービス（FCS）、17・・・エンジンコントロールサービス（ECS）、18・・・メモリコントロールサービス（MCS）、19・・・ユーザインフォメーションコントロールサービス（UCS）、20・・・システムコントロールサービス（SCS）、21・・・システムリソースマネージャ（SRM）、22・・・ファックスコントロールユニットハンドラ（FCUH）、23・・・イメージメモリハンドラ（IMH）、24・・・その他のハードウェアリソース、25・・・スキャナ、26・・・プロッタ、27・・・エンジンI/F、28・・・API、30・・・コントローラボード、31・・・CPU、32・・・システムメモリ（MEM-P）、33・・・ノースブリッジ（NB）、34・・・サウスブリッジ（SB）、35・・・AGP（Accelerated Graphics Port）、36・・・ASIC、37・・・ローカルメモリ（MEM-C）、38・・・HDD、39・・・オペレーションパネル、40・・・ファックスコントロールユニット（FCU）、41・・・USBデバイス、42・・・IEEE1394デバイス、43・・・エンジン、50・・・NIC（Network Interface Card）、51・・・セントロニクスデバイス、52・・・G3規格対応ユニット、53・・・G4規格対応ユニット。
【図１】
2008003113.tif 000003
【図２】
2008003113.tif 000004
【図３】
2008003113.tif 000005
【図４】
2008003113.tif 000006
【図５】
2008003113.tif 000007
【図６】
2008003113.tif 000008
【図７】
2008003113.tif 000009
【図８】
2008003113.tif 000010
【図９】
2008003113.tif 000011
【図１０】
2008003113.tif 000012
【図１１】
2008003113.tif 000013
【図１２】
2008003113.tif 000014
【図１３】
2008003113.tif 000015